(57)【特許請求の範囲】
【請求項１】
複数のダウンリンクキャリアでダウンリンクシグナリングを受信するステップと、
前記複数のキャリアの各々に対応するハイブリッド自動再送要求(HARQ)フィードバックを決定するステップと、
前記複数のキャリアのうちの少なくとも2つを含む前記複数のキャリアの第1のサブセットに対応するHARQフィードバックを符号化するための、第1のHARQフィードバックシンボルを選択するステップであって、前記第1のHARQフィードバックシンボルが、前記複数のキャリアのうちの前記少なくとも2つで受信される情報の復号の状況を表す複合フィードバックメッセージに対応するシンボルを格納する、複数のコードブックのうちの1つから選択される、ステップと、
前記複数のキャリアのうちの少なくとも1つを含む前記複数のキャリアの第2のサブセットに対応するHARQフィードバックを符号化するための、第2のHARQフィードバックシンボルを選択するステップであって、前記第2のHARQフィードバックシンボルが、前記複数のキャリアのうちの前記少なくとも1つで受信される情報の復号の状況を表す複合フィードバックメッセージに対応するシンボルを格納する、複数のコードブックのうちの1つから選択される、ステップと、
前記第1および第2のHARQフィードバックシンボルをアップリンクで送信するステップと
を含む、ワイヤレス通信の方法。
【請求項２】
前記送信するステップが、前記第1のHARQフィードバックシンボルで、アップリンクキャリアのタイムスロットの少なくとも第1の部分を変調するステップを含む、請求項1に記載の方法。
【請求項３】
前記送信するステップが、前記第2のHARQフィードバックシンボルで、前記タイムスロットの前記第1の部分以外の、前記アップリンクキャリアの前記タイムスロットの第2の部分を変調するステップをさらに含む、請求項2に記載の方法。
【請求項４】
前記アップリンクキャリアの前記第1および第2の部分を前記変調するステップが、ビット当たり256チップよりも少ない拡散率を利用するステップを各々含む、請求項3に記載の方法。
【請求項５】
前記拡散率が128である、請求項4に記載の方法。
【請求項６】
前記タイムスロットの少なくとも前記第1の部分を前記変調するステップが、前記第1のHARQフィードバックシンボルで、前記アップリンクキャリアの実質的に全体のタイムスロットを変調するステップを含み、
前記送信するステップが、前記第2のHARQフィードバックシンボルで、前記アップリンクキャリアの実質的に全体のタイムスロットを変調するステップをさらに含む、請求項2に記載の方法。
【請求項７】
前記第1のHARQフィードバックシンボルで前記タイムスロットを前記変調するステップと、前記第2のHARQフィードバックシンボルで前記タイムスロットを前記変調するステップが、ビット当たり256チップの拡散率を利用するステップを各々含む、請求項6に記載の方法。
【請求項８】
複数のダウンリンクキャリアでダウンリンクシグナリングを受信するための受信機と、
前記複数のキャリアの各々に対応するハイブリッド自動再送要求(HARQ)フィードバックを決定し、前記複数のキャリアのうちの少なくとも2つを含む前記複数のキャリアの第1のサブセットに対応するHARQフィードバックを符号化するための第1のHARQフィードバックシンボルを選択し、前記複数のキャリアのうちの少なくとも1つを含む前記複数のキャリアの第2のサブセットに対応するHARQフィードバックを符号化するための第2のHARQフィードバックシンボルを選択するためのプロセッサであって、前記第1のHARQフィードバックシンボルが、前記複数のキャリアのうちの前記少なくとも2つで受信される情報の復号の状況を表す複合フィードバックメッセージに対応するシンボルを格納する、複数のコードブックのうちの1つから選択され、前記第2のHARQフィードバックシンボルが、前記複数のキャリアのうちの前記少なくとも1つで受信される情報の復号の状況を表す複合フィードバックメッセージに対応するシンボルを格納する、複数のコードブックのうちの1つから選択される、プロセッサと、
前記第1および第2のHARQフィードバックシンボルをアップリンクで送信するための送信機と
を含む、ワイヤレス通信のための装置。
【請求項９】
前記送信機が、前記第1のHARQフィードバックシンボルで、アップリンクキャリアのタイムスロットの少なくとも第1の部分を変調するように構成される、請求項8に記載の装置。
【請求項１０】
前記送信機が、前記第2のHARQフィードバックシンボルで、前記タイムスロットの前記第1の部分以外の、前記アップリンクキャリアの前記タイムスロットの第2の部分を変調するようにさらに構成される、請求項9に記載の装置。
【請求項１１】
前記アップリンクキャリアの前記第1および第2の部分を前記変調するステップが、ビット当たり256チップよりも少ない拡散率を利用するステップを各々含む、請求項10に記載の装置。
【請求項１２】
前記拡散率が128である、請求項11に記載の装置。
【請求項１３】
前記タイムスロットの少なくとも前記第1の部分を前記変調するステップが、前記第1のHARQフィードバックシンボルで、前記アップリンクキャリアの実質的に全体のタイムスロットを変調するステップを含み、
前記送信機が、前記第2のHARQフィードバックシンボルで、前記アップリンクキャリアの実質的に全体のタイムスロットを変調するようにさらに構成される、請求項9に記載の装置。
【請求項１４】
請求項1から7のいずれか一項に記載の方法を実行するための手段を含む、装置。
【請求項１５】
コンピュータにより実行可能な命令を備えたコンピュータプログラムであって、
コンピュータまたはプロセッサに、請求項1から7のいずれか一項に記載の方法を実行させるための少なくとも1つの命令を含む、コンピュータプログラム。
【発明の詳細な説明】
【技術分野】
【０００１】
関連出願の相互参照
本出願は、2009年10月5日に出願された、「HS-DPCCH ACK/NACK CODE BOOK DESIGN FOR 4C-HSDPA」という表題の、米国特許出願第61/248666号の利益を主張するものであり、上記の出願は全体が参照により本明細書に明示的に組み込まれる。
【０００２】
本開示の態様は、全般にワイヤレス通信システムに関し、より具体的には、複数のキャリアワイヤレス通信システムにおけるフィードバック情報の提供に関する。
【背景技術】
【０００３】
ワイヤレス通信ネットワークは、電話、ビデオ、データ、メッセージング、放送などのような、様々な通信サービスを提供するために広く配備されている。そのようなネットワークは、通常複数のアクセスネットワークであり、利用可能なネットワークリソースを共有することによって、複数のユーザーの通信をサポートすることができる。そのようなネットワークの一例は、UMTS Terrestrial Radio Access Network(UTRAN)である。UTRANは、Universal Mobile Telecommunications System(UMTS)の一部として定義される無線アクセスネットワーク(RAN)であり、第3世代パートナーシッププロジェクト(3GPP)によりサポートされる第3世代(3G)携帯電話技術である。UMTSは、Global System for Mobile Communications(GSM（登録商標）)技術の後継であり、現在では、広帯域符号分割多元接続(W-CDMA)、時分割符号多元接続(TD-CDMA)、時分割同期符号分割多元接続(TD-SCDMA)のような、様々な無線インターフェース規格をサポートする。UMTSは、より高速なデータ転送速度と容量を関連するUMTSネットワークに提供する、高速パケットアクセス(HSDPA)のような改良型の3Gデータ通信プロトコルもサポートする。
【０００４】
モバイルブロードバンドアクセスへの需要が高まり続けるにつれて、研究開発によりUMTS技術は進化し続け、モバイルブロードバンドアクセスへの高まる需要を満たしているだけでなく、モバイル通信でのユーザー体験を進化させ向上させている。
【発明の概要】
【課題を解決するための手段】
【０００５】
方法および装置は、MIMO構成の、またはMIMO構成ではない、複数のダウンリンクキャリアの状況に対応する、ハイブリッド自動再送要求(HARQ)フィードバックを提供する。ここで、少なくともいくつかの構成では、HARQフィードバックシンボルの選択に関して、従来のHSDPAシステムまたはDC-HSDPAシステムで既に実装されているHARQフィードバックシンボルコードブックが利用できるように、ダウンリンクキャリアは、1つまたは2つのキャリアからなるグループにグループ化される。つまり、データストリームを符号化した後で、1つまたは2つのダウンリンクキャリアのグループ向けに構成される複数のコードブックから選択されたHARQフィードバックシンボルが、アップリンクチャネルを変調するのに利用される。変調またはチャネル化は、拡散率が低減された双対チャネル化符号(dual channelization codes)または単一チャネル化符号により実現することができ、2つのシンボルを単一のタイムスロットに挿入する。
【０００６】
ある態様では、本開示は、複数のダウンリンクキャリアでダウンリンクシグナリングを受信するステップと、複数のキャリアの各々に対応するハイブリッド自動再送要求(HARQ)フィードバックを決定するステップとを含む、ワイヤレス通信の方法を提供する。第1のHARQフィードバックシンボルは、複数のキャリアの第1のサブセットに対応するHARQフィードバックを符号化するために選択される。ここで、第1のサブセットは、複数のキャリアのうちの少なくとも2つを含む。第2のHARQフィードバックシンボルは、複数のキャリアの第2のサブセットに対応するHARQフィードバックを符号化するために選択される。ここで、第2のサブセットは、複数のキャリアのうちの少なくとも1つを含む。第1および第2のHARQフィードバックシンボルは、アップリンクで送信される。
【０００７】
本開示の別の態様は、複数のダウンリンクキャリアで受信された情報の復号の状況に対応する第1のフィードバックシンボルを提供するステップと、少なくとも1つのダウンリンクキャリアで受信された情報の復号の状況に対応する第2のフィードバックシンボルを提供するステップとを含む、ワイヤレス通信の方法を提供する。
【０００８】
本開示のさらに別の態様は、複数のダウンリンクキャリアでダウンリンクシグナリングを受信するための受信機を含む、ワイヤレス通信のための装置を提供する。プロセッサは、複数のキャリアの各々に対応するハイブリッド自動再送要求(HARQ)フィードバックを決定し、複数のキャリアのうちの少なくとも2つを含む複数のキャリアの第1のサブセットに対応するHARQフィードバックを符号化するための、第1のHARQフィードバックシンボルを選択し、複数のキャリアのうちの少なくとも1つを含む複数のキャリアの第2のサブセットに対応するHARQフィードバックを符号化するための、第2のHARQフィードバックシンボルを選択する。送信機は、アップリンクで第1および第2のHARQフィードバックシンボルを送信する。
【０００９】
本開示のさらに別の態様は、複数のダウンリンクキャリアでダウンリンクシグナリングを受信するための手段と、複数のキャリアの各々に対応するハイブリッド自動再送要求(HARQ)フィードバックを決定するための手段とを含む、ワイヤレス通信のための装置を提供する。さらに、装置は、複数のキャリアのうちの少なくとも2つを含む複数のキャリアの第1のサブセットに対応するHARQフィードバックを符号化するための、第1のHARQフィードバックシンボルを選択するための手段と、複数のキャリアのうちの少なくとも1つを含む複数のキャリアの第2のサブセットに対応するHARQフィードバックを符号化するための、第2のHARQフィードバックシンボルを選択するための手段と、アップリンクで第1および第2のHARQフィードバックシンボルを送信するための手段とを含む。
【００１０】
本開示のさらに別の態様は、複数のダウンリンクキャリアで受信される情報の復号の状況に対応する第1のフィードバックシンボルを提供するための手段と、少なくとも1つのダウンリンクキャリアで受信された情報の復号の状況に対応する第2のフィードバックシンボルを提供するための手段とを含む、ワイヤレス通信のための装置を提供する。
【００１１】
本開示のさらに別の態様は、コンピュータに、複数のダウンリンクキャリアでダウンリンクシグナリングを受信させ、複数のキャリアの各々に対応するハイブリッド自動再送要求(HARQ)フィードバックを決定させ、複数のキャリアのうちの少なくとも2つを含む複数のキャリアの第1のサブセットに対応するHARQフィードバックを符号化するための、第1のHARQフィードバックシンボルを選択させ、複数のキャリアのうちの少なくとも1つを含む複数のキャリアの第2のサブセットに対応するHARQフィードバックを符号化するための、第2のHARQフィードバックシンボルを選択させ、アップリンクで第1および第2のHARQフィードバックシンボルを送信させるための命令を有する、コンピュータ可読媒体を含む、コンピュータプログラム製品を提供する。
【００１２】
本開示のさらに別の態様は、少なくとも1つのプロセッサと、少なくとも1つのプロセッサに結合されるメモリとを含む、ワイヤレス通信のための装置を提供する。ここで、少なくとも1つのプロセッサは、複数のダウンリンクキャリアでダウンリンクシグナリングを受信し、複数のキャリアの各々に対応するハイブリッド自動再送要求(HARQ)フィードバックを決定し、複数のキャリアのうちの少なくとも2つを含む複数のキャリアの第1のサブセットに対応するHARQフィードバックを符号化するための、第1のHARQフィードバックシンボルを選択し、複数のキャリアのうちの少なくとも1つを含む複数のキャリアの第2のサブセットに対応するHARQフィードバックを符号化するための、第2のHARQフィードバックシンボルを選択し、アップリンクで第1および第2のHARQフィードバックシンボルを送信するように構成される。
【００１３】
本発明のこれらの態様および他の態様が、以下の発明を実施するための形態を検討することでより完全に理解されよう。
【図面の簡単な説明】
【００１４】
【図１】処理システムを利用する装置のための、ハードウェア実装の例を示す図である。
【図２】遠隔通信システムの例を概念的に示す、ブロック図である。
【図３】アップリンクの高速専用物理制御チャネル(HS-DPCCH)のフレーム構造を概念的に示す、ブロック図である。
【図４】HARQフィードバックをHS-DPCCH上に符号化するための3つの例示的なチャネル化方式を概念的に示す、ブロック図である。
【図５】HARQフィードバックを搬送するためのHS-DPCCH内の3つの例示的なタイムスロットを概念的に示す、ブロック図である。
【図６Ａ】本開示のある例示的な態様による、Node Bと通信しているUEの簡易的な概略図である。
【図６Ｂ】本開示のある例示的な態様による、Node Bと通信しているUEの簡易的な概略図である。
【図７】本開示の態様による例示的な処理を示す、一対の流れ図である。
【図８】遠隔通信システム内のUEと通信しているNode Bの例を概念的に示す、ブロック図である。
【発明を実施するための形態】
【００１５】
添付の図面とともに以下で述べられる発明を実施するための形態は、様々な構成を説明するものであることが意図され、本明細書で説明される概念が実行されうる唯一の構成を表すことは意図されない。発明を実施するための形態は、様々な概念の完全な理解をもたらすために、具体的な詳細を含む。しかし、これらの概念は、これらの具体的な詳細なしで実行されうることが、当業者には明らかであろう。いくつかの例では、よく知られている構造およびコンポーネントは、上記のような概念を不明瞭にするのを避けるために、ブロック図の形態で示される。
【００１６】
図1は、処理システム114を利用する装置100のハードウェア実装の例を示す、概念図である。この例では、処理システム114は、全体にバス102として表されるバスアーキテクチャにより実装されうる。バス102は、処理システム114の具体的な用途および全体の設計制約に応じて、任意の数の相互接続バスおよびブリッジを含みうる。バス102は、全体にプロセッサ104として表される1つまたは複数のプロセッサを含む様々な回路と、全体にコンピュータ可読媒体106として表されるコンピュータ可読媒体とを一緒につなぐ。バス102はまた、タイミングソース、周辺機器、電圧調整器、電力管理回路のような様々な他の回路もつなぐことができ、これらは当技術分野ではよく知られているので、これ以上説明はしない。バスインターフェース108は、バス102と送受信機110とのインターフェースを提供する。送受信機110は、伝送媒体を通じて様々な他の装置と通信するための手段を提供する。装置の性質に応じて、ユーザーインターフェース112(例えば、キーパッド、ディスプレイ、スピーカー、マイクロフォン、ジョイスティック)も提供されうる。
【００１７】
プロセッサ104は、コンピュータ可読媒体106に格納されたソフトウェアの実行を含む、バス102および一般的な処理の管理に関与する。ソフトウェアは、プロセッサ104により実行されると、処理システム114に、以下で説明される様々な機能を任意の特定の装置のために実行させる。コンピュータ可読媒体106はまた、ソフトウェアを実行する際にプロセッサ104により操作されるデータを格納するために用いられうる。
【００１８】
本開示全体で提示される様々な概念は、多様な遠隔通信システム、ネットワークアーキテクチャ、および通信規格にわたって実装されうる。限定ではなく例として、図2に示される本開示の態様は、W-CDMA無線インターフェースを利用するUMTSシステム200に関して提示される。UMTSネットワークは、基幹ネットワーク(CN)204、UMTS Terrestrial Radio Access Network(UTRAN)202、およびユーザー装置(UE)210という、3つの相互通信する領域を含む。この例では、UTRAN202は、電話、ビデオ、データ、メッセージング、放送、および/または他のサービスを含む、様々なワイヤレスサービスを提供する。UTRAN202は、RNS207のような複数の無線ネットワークサブシステム(RNS)を含んでもよく、各RNSは、RNC206のようなそれぞれの無線ネットワークコントローラ(RNC)により制御される。ここで、UTRAN202は、本明細書で示されるRNC206およびRNS207に加えて、任意の数のRNC206およびRNS207を含みうる。RNC206は、とりわけ、RNS207内での無線リソースの割り当て、再構成、および解放に関与する装置である。RNC206は、直接の物理的な接続、仮想ネットワークなどのような様々な種類のインターフェースを通じて、任意の適切な転送ネットワークを用いて、UTRAN202中の他のRNC(図示せず)に相互接続されうる。
【００１９】
UE210とNode B 208との通信は、物理(PHY)層および媒体アクセス制御(MAC)層を含むと考えることができる。さらに、それぞれのNode B 208によるUE210とRNC206との通信は、無線リソース制御(RRC)層を含むと考えることができる。現在の仕様では、PHY層は層1であると考えることができ、MAC層は層2であると考えることができ、RRC層は層3であると考えることができる。以下の情報は、参照によって本明細書に組み込まれる、無線リソース制御(RRC)プロトコル仕様である3GPP TS 25.331 v9.1.0で導入された用語を利用する。
【００２０】
SRNS207によりカバーされる地理的な領域は、複数のセルに分割することができ、1つの無線送受信機装置が各セルをサーブする。無線送受信機装置は通常、UMTS用途ではNode Bと呼ばれるが、基地局(BS)、ベーストランシーバ基地局(BTS)、無線基地局、無線送受信機、送受信機機能、基本サービスセット(BSS)、拡張サービスセット(ESS)、アクセスポイント(AP)、または何らかの他の適切な用語でも当業者により呼ばれうる。明瞭にするために、3つのNode B 208が各SRSN207に示されているが、SRSN207は、任意の数のワイヤレスNode Bを含んでもよい。Node B 208は、任意の数のモバイル装置のために、基幹ネットワーク(CN)204にワイヤレスアクセスポイントを提供する。モバイル装置の例は、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)機器、マルチメディア機器、ビデオ機器、デジタルオーディオプレーヤー(例えばMP3プレーヤー)、カメラ、ゲーム機、または、同様に機能する任意の他の機器を含む。モバイル装置は通常、UMTS用途ではユーザー装置(UE)と呼ばれるが、移動局(MS)、加入者局、モバイルユニット、加入者ユニット、ワイヤレスユニット、遠隔ユニット、モバイル機器、ワイヤレス機器、ワイヤレス通信機器、遠隔機器、モバイル加入者局、アクセス端末(AT)、モバイル端末、ワイヤレス端末、遠隔端末、ハンドセット、端末、ユーザーエージェント、モバイルクライアント、クライアント、または何らかの他の適切な用語でも、当業者により呼ばれうる。UMTSシステムでは、UE210はさらに、汎用加入者識別モジュール(USIM)211を含んでもよく、USIM211は、ネットワークへのユーザーの加入情報を格納する。例示として、1つのUE210が、複数のNode B 208とともに示されている。順方向リンクとも呼ばれるダウンリンク(DL)は、Node B 208からUE210への通信リンクを指し、逆方向リンクとも呼ばれるアップリンク(UL)は、UE210からNode B 208への通信リンクを指す。
【００２１】
基幹ネットワーク204は、UTRAN202のような1つまたは複数のアクセスネットワークとインターフェースをとる。示されるように、基幹ネットワーク204はGSM（登録商標）基幹ネットワークである。しかし、当業者が理解するように、本開示全体で提示される様々な概念は、RAN、または他の適切なアクセスネットワークで実施され、GSM（登録商標）ネットワーク以外の種類の基幹ネットワークへのアクセスをUEに提供することができる。
【００２２】
基幹ネットワーク204は、回線交換(CS)領域とパケット交換(PS)領域を含む。回線交換要素のいくつかは、モバイルサービス交換センター(MSC)、ビジターロケーションレジスタ(VLR)、およびゲートウェイMSCである。パケット交換要素は、サービングGPRSサポートノード(SGSN)およびゲートウェイGPRSサポートノード(GGSN)を含む。EIR、HLR、VLRおよびAuCのようないくつかのネットワーク要素は、回線交換領域とパケット交換領域の両方で共有されうる。示される例では、基幹ネットワーク204は、MSC212およびGMSC214により回線交換サービスをサポートする。いくつかの適用形態では、GMSC214は、メディアゲートウェイ(MGW)と呼ばれうる。RNC206のような1つまたは複数のRNCは、MSC212に接続されうる。MSC212は、コールセットアップ、コールルーティング、およびUEのモビリティ機能を制御する装置である。MSC212は、UEがMSC212のカバレッジエリアにある間、加入者に関係する情報を格納する、ビジターロケーションレジスタ(VLR)も含む。GMSC214は、UEが回線交換ネットワーク216にアクセスするための、MSC212を通じてゲートウェイを提供する。GMSC214は、特定のユーザーが加入したサービスの詳細を反映するデータのような加入者データを格納する、ホームロケーションレジスタ(HLR)215を含む。HLRは、加入者に特有の認証データを格納する認証センター(AuC)とも関連する。呼出しが特定のUEに対して受信されると、GMSC214はHLR215に問い合わせ、UEの位置を決定し、その位置をサーブする特定のMSCにその呼出しを転送する。
【００２３】
基幹ネットワーク204は、サービングGPRSサポートノード(SGSN)218およびゲートウェイGPRSサポートノード(GGSN)220によりパケットデータサービスもサポートする。汎用パケット無線サービス(General Packet Radio Service)を意味するGPRSは、標準の回線交換データサービスで可能な速度よりも高速なパケットデータサービスを提供するように設計される。GGSN220は、UTRAN202に、パケットベースのネットワーク222への接続を提供する。パケットベースのネットワーク222は、インターネット、非公開のデータネットワーク、または何らかの他の適切なパケットベースのネットワークであってよい。GGSN220の主要な機能は、UE210にパケットベースのネットワーク接続を提供することである。データパケットは、GGSN220とUE210との間でSGSN218を通じて転送することができ、SGSN218は主に、MSC212が回線交換領域で実行するのと同じ機能を、パケットベースの領域で実行する。
【００２４】
UMTS無線インターフェースは、スペクトル拡散直接拡散方式符号分割多元接続(DS-CDMA)システムである。スペクトル拡散DS-CDMAは、チップと呼ばれる擬似ランダムビットの列による操作を通じて、ユーザーデータを拡散する。UMTSのW-CDMA無線インターフェースは、そのような直接拡散方式のスペクトル拡散技術に基づき、さらに、周波数分割複信(FDD)を必要とする。FDDは、Node B 208とUE210との間のアップリンク(UL)とダウンリンク(DL)に、異なるキャリア周波数を用いる。DS-CDMAを利用し、時分割複信を用いるUMTSの別の無線インターフェースは、TD-SCDMA無線インターフェースである。本明細書で説明される様々な例がWCDMA無線インターフェースに言及しうるが、基本的な原理はTD-SCDMA無線インターフェースに同様に適用可能であることを、当業者は理解するだろう。
【００２５】
この例で利用されるHSPA構成は、3G/WCDMA無線インターフェースへの一連の改良を含み、スループットの向上と遅延の低減を容易にする。以前のリリースに対する他の修正の中でもとりわけ、HSPAは、ハイブリッド自動再送要求(HARQ)、共有チャネル送信、および適応変調符号化を利用する。HSPAを定義する規格は、HSDPA(高速ダウンリンクパケットアクセス)およびHSUPA(高速アップリンクパケットアクセス)を含む。
【００２６】
HSDPAは、高速ダウンリンク共有チャネル(HS-DSCH)を、自身のトランスポートチャネルとして利用する。HS-DSCHは、高速物理ダウンリンク共有チャネル(HS-PDSCH)、高速共有制御チャネル(HS-SCCH)、高速専用物理制御チャネル(HS-DPCCH)という3つの物理チャネルにより実装される。
【００２７】
これらの物理チャネルの中では、HS-DPCCHが、ダウンリンクHS-DSCH送信とHS-SCCH命令とに関連するアップリンクフィードバックシグナリングを、搬送することができる。例えば、図3は、本開示の例示的な態様によるHS-DPCCHのフレーム構造を示す。フィードバックシグナリングは、ハイブリッドARQ確認通知(HARQ-ACK)302およびチャネル品質表示(CQI)304を含んでもよく、UEがMIMOモードで構成される場合は、プリコーディング制御表示(PCI)306を含んでもよい。各サブフレーム(例えば、2ms(3*2560チップ)の長さを有する)は3つのスロット308A、308B、および308Cを含んでもよく、各スロット308は2560チップの長さを有する。HARQ-ACK302は、HS-DPCCHサブフレームの第1のスロット308Aで搬送されうる。CQI304も、またUEがMIMOモードで構成される場合にはPCI306も、HS-DPCCHサブフレームの第2および/または第3のスロット308Bおよび308Cで搬送されうる。
【００２８】
HSPAのような通常の直接拡散方式符号分割多元接続(DS-CDMA)システムでは、アップリンクとダウンリンクの両方のデータ信号は、あるチップレートを有するそれぞれの拡散符号により各々組み合わされ、複数の同時の送信を互いに分離し、個々のデータ信号の回復を可能にする。例えば、所与のダウンリンクキャリアにおいて、所与のユーザーに宛てられたデータストリームは、適切な拡散符号を適用することで拡散されうる。信号の受信端において、信号は逆スクランブルされ、データストリームは適切な拡散符号を適用することで回復される。複数の拡散符号を利用することで、複数の符号を各加入者に割り当てることができ、複数のサービスを同時に送達することが可能になる。同様に、アップリンクにおいて、複数のチャネル化符号を適用することで、複数のストリームを同じチャネルでUEから送信することができる。
【００２９】
本開示の態様では、チャネル化符号の適切な選択により、データストリーム中での追加の情報の符号化が可能になりうる。例えば、チャネル化符号の2つの形態を、HSDPAリンクで利用することができる。一方はプリコーディング制御表示(PCI)およびチャネル品質表示(CQI)用で、もう一方はHARQ ACK/NACK(確認通知/否定通知)またはDTX(非連続送信)表示用である。
【００３０】
具体的には、HARQフィードバックに対応するチャネル化符号は、適切な数のビットを利用して、ダウンリンク上のキャリアの各々において、各トランスポートブロックのHARQ ACK/NACK/DTXの状況を符号化することができる。従来のW-CDMAシステムでは、10個の符号ビットがHARQフィードバックに利用され、シンボル当たり256チップの拡散率(SF)を有するチャネル化符号を利用する。
【００３１】
HSDPAを利用するシステムは、複数のキャリア(3GPPはキャリアを指すのに「セル」という用語を用いる)、例えば4キャリアシステムに対して4C-HSDPAを実装でき、またはより一般的には、複数のセルに対してMC-HSDPAを実装でき、異なるキャリアにわたる複数のHS-DSCHチャネルが利用されうる。つまり、UEは、同じNode Bからの並列なHS-DSCHトランスポートチャネルを通じて、サービングHS-DSCHセルで、さらには1つまたは複数の補助的なサービングHS-DSCHセルでスケジューリングされうる。当然、複数のキャリアのうちのいずれか1つが、特定のUEについて、サービングHS-DSCHセルまたは補助的なサービングHS-DSCHセルとして機能するように構成されうることを、当業者は理解するだろう。ここで、データレートおよびシステム容量は、ダウンリンクに単一のキャリアのみを利用するシステムと比較して、それぞれ向上しうる。
【００３２】
MC-HSDPAシステムでは、HARQ ACK/NACKフィードバックシグナリングは、各ダウンリンクチャネルについて別々に送信することができ、または、2つ以上のダウンリンクチャネルに対応する複合HARQ ACK/NACKとして一緒に送信することができる。上で説明されたように、チャネル化符号の選択にしたがってHARQ ACK/NACKを符号化するシステムでは、HARQ ACK/NACKが各ダウンリンクキャリアについて別々に送信される場合、UEは複数のチャネル化符号を利用することができる。複数のチャネル化符号を利用する場合、各チャネル化符号は、1つのそれぞれのダウンリンクキャリアのためのHARQ ACK/NACKを提供するようになされうる。
【００３３】
しかし、DC-HSDPAは、複数のダウンリンクキャリアに対応するフィードバックとして、複合HARQ ACK/NACK情報を提供することができる、1つまたは複数のチャネル化符号を実装することができる。ここで、チャネル化符号はコードブックから選択することができ、各符号シンボルは、複合HARQ ACK/NACKに対応し、つまり、ACK/NACKは、複数のダウンリンクキャリアの各々に一挙に対応する。
【００３４】
HSPA+、または発展型HSPAは、多入力多出力(MIMO)および64-QAMを含むHSPA規格の発展型であり、スループットの改善と性能の向上を実現する。つまり、本開示のある態様では、Node B 208および/またはUE210(図2参照)は、MIMO技術をサポートする複数のアンテナを有しうる。MIMO技術を使用することで、Node B 208が、空間領域を利用して、空間多重化、ビームフォーミング、および送信ダイバーシチをサポートすることが可能になる。
【００３５】
MIMOは、マルチアンテナ技術、すなわち、複数の送信アンテナ(チャネルへの複数の入力)と複数の受信アンテナ(チャネルからの複数の出力)による技術を指すのに一般的に用いられる用語である。MIMOシステムは一般に、データ送信の性能を改善し、マルチパスフェージングを低減し送信品質を改善するためのダイバーシチ利得と、データのスループットを向上させるための空間多重化利得とを実現する。
【００３６】
空間多重化を用いて、同じ周波数で同時に異なるデータのストリームを送信することができる。データストリームは、データレートを向上させるために単一のUE210に送信することができ、またはシステム全体の容量を向上させるために複数のUE210に送信することができる。このことは、各データストリームを空間的にプリコーディングし、次いで空間的にプリコーディングされた各ストリームを異なる送信アンテナを通じてダウンリンクで送信することによって実現する。空間的にプリコーディングされたデータストリームは、異なる空間的な特徴をともなってUE210に到達し、このことにより、UE210の各々が、UE210に宛てられた1つまたは複数のデータストリームを回復することが可能になる。アップリンクにおいて、各UE210は、空間的にプリコーディングされたデータストリームを送信し、このことにより、Node B 208が、空間的にプリコーディングされた各データストリームのソースを識別することが可能になる。
【００３７】
空間多重化は一般に、チャネルの状態が良好な時に用いられる。チャネルの状態が好ましくない時は、1つまたは複数の方向に送信エネルギーを集中させるために、ビームフォーミングを用いることができる。これは、複数のアンテナを通じた伝送について、データを空間的にプリコーディングすることで実現しうる。セルの端部における良好なカバレッジを実現するために、単一のストリームのビームフォーミング伝送を、送信ダイバーシチとともに用いることができる。
【００３８】
一般に、n個の送信アンテナを利用するMIMOシステムでは、n個のトランスポートブロックが、同じチャネル化符号を利用する同じキャリアで、同時に送信されうる。n個の送信アンテナで送信される異なるトランスポートブロックは、同じ変調方式および符号化方式を有してもよく、または互いに異なる変調方式および符号化方式を有してもよいことに留意されたい。
【００３９】
一方、単一入力多出力(SIMO)は一般に、単一の送信アンテナ(チャネルへの単一の入力)および複数の受信アンテナ(チャネルからの複数の出力)を利用するシステムを指す。したがって、SIMOシステムでは、単一のトランスポートブロックがそれぞれのキャリアで送信される。同様の用語を用いて、単一入力単一出力(SISO)システムは、単一の送信アンテナおよび受信アンテナを利用するシステムである。
【００４０】
MIMOを、複数のキャリアの1つまたは複数にわたって実装できる場合、HARQ-ACKフィードバックは非常に扱いにくくなることがある。つまり、Node BからのSIMO伝送およびMIMO伝送に関する異なるスケジューリングの状況に応答するためにUEが利用しうるACK/NACK条件の数が、非常に大きくなりうる。例を挙げると、表1は、2つのキャリアでSIMO伝送をスケジューリングし、第3のキャリア(S/S/M)でMIMO伝送(2つのトランスポートブロックを含む)をスケジューリングする、3C-HSDPA Node BのHARQ-ACK条件を列挙したものである。2つのSIMOキャリアの各々において、HARQフィードバックは、ACK、NACK、または、そのキャリアで信号が受信されないという表示(非連続送信、DTXと呼ばれる)でありうる。MIMOキャリアにおいて、HARQフィードバックは、何が受信されたかで決まる2つのトランスポートブロックのうちの1つまたは両方に対するACK、一方のトランスポートブロックに対するACKおよび他のトランスポートブロックに対するNACK、または、どちらのトランスポートブロックも受信されない場合にはDTXでありうる。3つのキャリアのうち1つのみがMIMOキャリアであるこの比較的単純なシステムでも、全ての可能性のあるフィードバックを網羅するには44個のHARQ条件があり、これは、この数にさらに2個の条件を追加しうる従来のPRE/POST表示は含んでいない。
【００４１】
【表１】
0005568640.tif 000002
【００４２】
さらに、HARQフィードバックを符号化するためのコードブックは、所与のシステムのHARQ条件の数よりも大きくなることもある。つまり、上の2つのSIMOキャリアと1つのMIMOキャリア(S/S/Mと短縮される)の例では、UEは、S/S/M伝送に対してだけではなく、S/S/S伝送に対しても応答の準備ができていなければならない。それは、UEは、そのチャネルが実際にMIMOチャネルであるという表示を受信することなく、MIMOチャネル上でスケジューリングされたトランスポートブロックのうちの1つのみを受信しうるためである。S/S/Mシステムの例では、ACK/NACK/DTXコードブックのサイズは、PRE/POSTを除いて、62個の固有の符号語を含む。
【００４３】
この説明から理解されうるように、HARQ条件の数は、キャリアの数が増えるにしたがって、またより多くのキャリアがMIMOで構成されうると、急速に増える。4つのキャリア全てがMIMO構成の4C-HSDPAシステムでは、PRE/POSTを除いて、2320個の固有の符号語を有するコードブックが必要である。
【００４４】
理論的には、MC-HSDPAシステムにおいてHARQフィードバックを実現するための最も最適な方法は、単一のコードブックを作成し、キャリアの全てにACK/NACKフィードバックを一緒に符号化することである。つまり、本開示の例示的な態様によれば、単一のチャネル化符号を、従来の拡散率がSF=256であるHS-DPCCHに対して利用することができ、新しいコードブックは、複数のキャリアの各々に対してHARQフィードバックを符号化するように設計される。
【００４５】
しかし、単一のチャネル化符号で4C-HSDPAの符号語を送信することに対応する符号化率は、基本的には1である。つまり、ACK/NACKスロット当たり一般に10個のシンボルがあるが、例えば、MIMOに対応した4C-HSDPAシステムに必要な2320個の固有の符号語に対して、10個以上のビットが必要である。
【００４６】
本開示のある態様によれば、実用上の視点から、2つのキャリアのグループに対して、一度にフィードバックを一緒に符号化することに意味がある。つまり、3GPP仕様の前のバージョンでは、最高で2つのキャリアシステム(すなわちDC-HSDPA)のための効率的なコードブックを作成するために、かなりの時間と努力が費やされてきた。同様にして、UEハードウェアに既に実装されている既存のコードブックを再利用して、3つ以上のキャリアおよびMIMOを有するHSDPAシステムにおいて、HARQフィードバックを提供することができる。
【００４７】
本開示のある態様では、複数のチャネル化符号を利用してHARQフィードバックを実現することができ、各チャネル化符号は、1つまたは2つのキャリアのグループにHARQフィードバックを提供するようになされる。例えば、3C-HSDPAまたは4C-HSDPAシステムでは、双対チャネル化符号を利用することができ、各チャネル化符号は、1つまたは2つのダウンリンクキャリアからなるグループのために、HARQフィードバックを提供する。
【００４８】
本開示の別の態様では、単一のチャネル化符号を利用することができ、拡散率SFは低減されて従来のSF=256よりも低い。このようにして、拡散率SFが256よりも小さい場合、ACK/NACKスロット当たりのシンボルの数を11以上に増やすことができるので、4C-HSDPA +MIMOのためにHARQフィードバックを符号化するのに適切なコードブックが可能になる。さらなる態様では、拡散率はSF=128に設定される。このようにして、ACK/NACKのタイムスロットが搬送しうるシンボルの数を2倍の20にして、ACK/NACKのタイムスロットに2つのHARQ-ACK符号語を挿入することを可能にする。ここで、2つのHARQ-ACK符号語の各々は、双対チャネル化符号を利用した場合に上で説明されたのと同様に、1つまたは2つのダウンリンクキャリアのグループの複合ACK/NACKに対応しうる。
【００４９】
本開示のさらに別の態様では、上の態様を組み合わせることができ、例えば、単一のチャネル化符号を有し、1つまたは複数の構成(例えば、一例ではS/S/Sとして構成された3キャリア構成)に対して拡散率が従来のSF=256である新しいコードブックを設計し、他の構成に対しては他の態様を利用する(例えば、S/S/S以外の全ての構成の3キャリアまたは4キャリア構成に対しては、SF=128への拡散率の低減を利用する)。当然、上の態様の他の組み合わせは、本開示の範囲内で組み合わせることができる。
【００５０】
図4は、本開示の様々な態様による、HARQフィードバックを実施するための3つの方式を示す。箱Aは、拡散率がSF=256である単一のチャネル化符号を利用する従来の場合を表す。箱Bは、SF=128へ拡散率が低減された単一のチャネル化符号を利用する場合を表す。箱Cは、各々が拡散率SF=256を有する双対チャネル化符号を利用する場合を表す。
【００５１】
図4で示される場合の各々において、k個のビットの情報が符号器402に与えられ、符号器402は、例えば、様々な前方誤り訂正方式または、当業者に知られているような任意の他の適切な符号化を利用して、情報を符号化することができる。箱Aでは、符号器402Aは、n/2個のビットの符号化された情報の出力を得るように、k個のビットの入力された情報を符号化するように構成される。n/2個のビットは次いで、従来のシステムのように、拡散率がSF=256である単一のチャネル化符号で組み合わされる。上で論じられたように、HARQ状況にしたがって適切なHARQフィードバックのためにチャネル化符号がそこから選択されるコードブックは、アップリンク送信で特性を実質的に最適化するような方式で実装されうる。
【００５２】
箱BおよびCにおいて、符号器402Bまたは402Cは、n個のビットの符号化された情報の出力を得るように、k個のビットの入力された情報を符号化するように構成される。ここで、符号器402Bと402Cは、実質的に同じ符号器であってよい。箱Bでは、拡散率が256よりも低減された、例えばSF=128である単一のチャネル化符号を利用して、チャネル上にHARQフィードバックを符号化することができる。箱Cでは、n個のビットの符号化された情報が、双対アップリンクキャリアに向けられうる2つの経路に分割された後、拡散率がSF=256である双対チャネル化符号を利用して、チャネル上にHARQフィードバックを符号化することができる。以下でさらに詳細に説明されるように、箱BおよびCにおいてHARQフィードバックを符号化するためのチャネル化は非常に似ており、両方とも、2つのダウンリンクキャリアのグループへのグループ化を可能にし、従来の単一キャリアシステムまたはDC-HSDPAシステム用に前に設計されたコードブックを利用するのを可能にする。つまり、単一のチャネル化符号を有し、拡散率がSF=128に低減された箱Bでは、ダウンリンクキャリアの第1のグループのためのHARQフィードバックは、タイムスロットの第1の部分(例えば半分)に配置することができ、ダウンリンクキャリアの第2のグループのためのHARQフィードバックは、タイムスロットの第2の部分(例えば半分)に配置することができる。一方、双対チャネル化符号を有する箱Cでは、ダウンリンクキャリアの第1のグループと第2のグループの各々のためのHARQフィードバックは、同じタイムスロットに配置することができるが、双対チャネル化符号による符号分割多重化にしたがって、分離されうる。例えば、双対チャネル化符号は、受信機において分解されうるように、互いに実質的に直交していてもよい。
【００５３】
図5は、図3に示されたHARQ-ACKタイムスロット302を、さらに詳細に示す。図5において、箱A、B、およびCは、SF=256である単一のチャネル化符号のためのタイムスロット、SF=128である単一のチャネル化符号のためのタイムスロット、および、SF=256である双対チャネル化符号のためのタイムスロットをそれぞれ示す。つまり、図5の箱A〜Cは、図4の箱A〜Cに対応する。図5に戻ると、箱Aのタイムスロット302Aは、単一のチャネル化符号シンボルが含まれうる1つの領域302A1を含む。ここで、上で論じられたように、ダウンリンクキャリアの全てのためにHARQフィードバックを提供するように構成されるコードブックが利用されうるので、対応するダウンリンクキャリアの全てにフィードバックを提供するには、単一のチャネル化符号シンボルで十分である。箱Bにおいて、タイムスロット302Bは、2つの連続する領域302B1および302B2を含む。それぞれのチャネル化符号シンボルは、2つの領域302B1および302B2の各々に挿入されうる。ここで、上で説明されたように、拡散率は、例えばSF=128に低減されうる。したがって、従来の場合と同じ長さのチャネル化符号シンボルを、タイムスロット全体ではなくタイムスロットの半分で利用することができる。つまり、拡散率SFの低減により、情報が時間的に圧縮される。拡散率SFが1/2に低減すると、以前は1つのタイムスロットで送信されていた情報の同じ部分を、タイムスロットの半分で送信できるようになる。したがって、拡散率を1/2に低減し、ダウンリンクキャリアを2つのキャリアのグループにグループ化することで、2キャリアシステム向けに設計された2つの既存のコードブックを利用して、3キャリアシステムまたは4キャリアシステムでHARQフィードバックを提供することを可能にし、それぞれの符号は半分のタイムスロットの各々で用いられる。
【００５４】
単純な例として、第1の2つのキャリアはSIMOに構成されるが、第2の2つのキャリアはMIMOに構成される(すなわち、S/S/M/M)ように、4キャリアの4C-HSDPAシステムが構成される場合、キャリアのうちの2つを第1のグループ(S/S)にグループ化することができ、他の2つのキャリアを第2のグループ(M/M)にグループ化することができる。ここで、リリース8で定義されたDC-HSDPA向けの前の3GPP規格は、S/Sとして構成された2つのキャリアにHARQフィードバックを提供するための適切なコードブックを含んでいた。したがって、このコードブックを利用して、タイムスロット302Bの第1の半分302B1にチャネル化符号シンボルを提供することができる。同様に、リリース9で定義されたDC-HSDPA+MIMO向けの前の3GPP規格は、M/Mとして構成された2つのキャリアにHARQフィードバックを提供するための適切なコードブックを含んでいた。したがって、このコードブックを利用して、タイムスロット302Bの第2の半分302B2にチャネル化符号シンボルを提供することができる。当然、前の3GPP規格から再利用されるコードブックのこれらの例は実際は例示に過ぎず、ある特定の実装形態では、異なる既存の規格、他の規格、または、2つのダウンリンクキャリア向けのHARQフィードバックを符号化するための新たなコードブックからの他のコードブックも、利用されてもよい。
【００５５】
箱Cは、拡散率がSF=256の双対チャネル化符号を利用する手法を示す。ここで、拡散率は箱Aで説明されたものと同じであるので、チャネル化符号シンボルは、タイムスロット302C全体を占める。しかし、双対チャネル化符号が利用されるので、箱Bに関して上で説明されたように、4C-HSDPA内の4つのダウンリンクキャリアは、それぞれ2キャリアの2つのグループにグループ化することができ、チャネル化符号は、2つのダウンリンクキャリアの2つのグループの各々に、HARQフィードバックの符号分割多重化を提供する。
【００５６】
3C-HSDPAシステムのような、フィードバックを提供すべきダウンリンクキャリアが奇数個あるシステムでは、図5に示された3つの手法のそれぞれを利用することができるが、ダウンリンクキャリアのグループのうちの1つは、1つのダウンリンクキャリアのみを含む。例えば、第1の2つのダウンリンクキャリア上でSISOに構成され、第3のダウンリンクキャリア上でMIMOに構成された(すなわちS/S/M)3キャリアシステムでは、第1のグループは第1の2つのキャリア(S/S)を含んでもよく、第2のグループは第3のキャリア(M)を含んでもよい。したがって、第1のグループのためのHARQフィードバックは、リリース8のDC-HSDPAで定義されるチャネル化コードブックを利用することができ、一方第2のグループのためのHARQフィードバックは、リリース7のDL-MIMOで定義されるチャネル化コードブックを利用することができる。当然、上で説明されたように、3GPP規格の前のリリースからのこれらの既存のコードブックは、説明のための例としてのみ与えられ、本開示の様々な態様は、任意の他の適切なコードブックを利用してもよい。
【００５７】
さらなる実施形態では、任意の数のダウンリンクキャリア向けのHARQフィードバックは、対応する数の2つのダウンリンクキャリアのグループ向けのHARQフィードバックを一緒に符号化する任意の数のコードブックを利用することによって、提供されうる。
【００５８】
図6Aは、Node B 604と通信しているUE602を示す、簡易的な概略図である。ここで、Node B 604は、複数のダウンリンクキャリアでダウンリンクシグナリング606を送信し、UEは、1つまたは複数のアップリンクキャリアでHARQフィードバック608を送信する。例えば、ダウンリンクシグナリング606は、4C-HSDPAシステムに4つのダウンリンクキャリアを含んでもよく、HARQフィードバック608は、1つのアップリンクキャリア上に提供されうる。本開示の別の態様では、ダウンリンクシグナリング606およびHARQフィードバック608の各々が、任意の適切な数のキャリアに提供されうる。図6Bは、UE602のある詳細を示すブロック図である。示される例では、UE602は、ダウンリンクシグナリング606で受信された複数のダウンリンクキャリアの各々に対応するHARQフィードバックを決定することなどの機能を実行するための、プロセッサ610を含む。プロセッサ610は、送信機620、受信機630、およびメモリ640と通信している。受信機630は、ダウンリンクシグナリング606を受信するための1つまたは複数の受信アンテナ631、632を含んでもよく、送信機620は、アップリンクでHARQフィードバック608を送信するための1つまたは複数の送信アンテナ621、622を含んでもよい。メモリ640は、HARQ ACK、NACK、DTX、またはPRE/POSTのような、複数のダウンリンクキャリアで受信される情報の復号の状況に対応するHARQフィードバックシンボルを格納するための、第1のコードブック641および第2のコードブック642のような任意の形態のデータ構造を含みうる。つまり、第1のコードブック641のようなコードブックに格納されるシンボルは、複数のダウンリンクキャリアのサブセットのためのHARQフィードバックを符号化することができる。ここで、サブセットは、1つのダウンリンクキャリアから最大でダウンリンクキャリアの全てを含む、任意の数のダウンリンクキャリアを含みうる。本開示の例示的な態様では、第1のコードブック641は、2つのダウンリンクキャリアに対応するHARQフィードバックを符号化するためのHARQフィードバックシンボルを含んでもよく、第2のコードブック642は、第3のダウンリンクキャリアに対応するHARQフィードバックを符号化するためのHARQフィードバックシンボルを含んでもよい。当然、3つ以上のコードブックがメモリ640に格納されてもよく、コードブックの各々が、基本的には任意の数のダウンリンクキャリアのためのHARQフィードバックに対応する、符号化されたHARQフィードバックシンボルを格納するように構成されうる。
【００５９】
本開示の別の例示的な態様では、メモリに格納されるコードブックのうちの1つは、SIMO伝送に構成された3つのダウンリンクキャリア(S/S/S)のためのHARQフィードバックに対応する、HARQフィードバックシンボルを含む。この態様では、UE602が3つのSIMOダウンリンクチャネル(S/S/S)を通じて通信を構成される場合、単一のコードブックが、3つのキャリア全てのためのHARQフィードバックを符号化することができる。UE602が任意の別の設定で通信を構成される(すなわち、少なくとも1つのキャリアがMIMOで構成される3つのキャリア、または、0以上のキャリアがMIMOで構成される4つのキャリア)場合、1つまたは2つのキャリアのサブセット向けのHARQフィードバックを符号化するためのHARQフィードバックシンボルを格納するコードブックに、アクセスすることができる。つまり、拡散率を下げる必要がある、または、双対チャネル化符号を利用する必要がある従来のシステムへの変更は、コードブックのサイズが比較的小さいS/S/Sのような場合に望まれる変更よりも大きいことがある。したがって、そのような場合には、ダウンリンクキャリアの全てのためのHARQフィードバックを単一のコードブックに一緒に符号化するために、特別な例外を設けることができ、フィードバックは、従来の場合と同様に、拡散率がSF=256の単一のチャネル化符号を利用して提供されうる。
【００６０】
図7は、本開示の態様による、ワイヤレス通信の例示的な処理700および750を示す流れ図であり、複数のダウンリンクキャリアの状況に対応するHARQフィードバックは、2つまたはそれ以上のグループにグループ化され、2つ以上のグループのうちの少なくとも1つは、ダウンリンクキャリアのうちの2つを含む。処理700では、ブロック702において、ダウンリンクシグナリングが、複数のダウンリンクキャリアで受信される。例えば、本開示の2つの例示的な態様によれば、ダウンリンクシグナリングは、3C-HSDPAシステムまたは4C-HSDPAシステムの3つのダウンリンクキャリアまたは4つのダウンリンクキャリアでそれぞれ受信されうる。ブロック704において、HARQフィードバックは、複数のダウンリンクキャリアの各々に対応して決定される。例えば、図6Bのプロセッサ610は、対応するダウンリンクキャリア上のトランスポートブロック上の符号化された情報が正しく復号されるかどうか、または何も受信していないかどうかを判定することができる。ブロック706において、ブロック704で決定されたHARQフィードバックに基づいて、複数のキャリアのうちの少なくとも2つを含む、複数のキャリアの第1のサブセットに対応するHARQフィードバックを符号化するための、第1のHARQフィードバックシンボルが選択される。同様に、ブロック710において、複数のキャリアのうちの少なくとも1つを含む、複数のキャリアの第2のサブセットに対応する、HARQフィードバックを符号化するための、第2のHARQフィードバックシンボルが選択される。本開示の例示的な態様では、第2のサブセットは、4C-HSDPAシステム内に2つのダウンリンクキャリア、または、3C-HSDPAシステム内に1つのキャリアを含みうる。ブロック712において、第1および第2のHARQフィードバックシンボルが、アップリンクで送信される。本開示のいくつかの態様では、第1のサブセットに対応するHARQフィードバックシンボルは、上で説明され図4および図5で示されるように、1つまたは2つのアップリンクチャネル内のそれぞれのタイムスロットを変調することによって、符号化されうる。
【００６１】
処理750において、ブロック714では、複数のダウンリンクキャリアで受信される情報の復号の状況(例えばHARQフィードバック)に応じて、第1のフィードバックシンボルが提供される。ブロック716では、少なくとも1つのダウンリンクキャリアで受信される情報の復号の状況に対応して、第2のフィードバックシンボルが提供される。例えば、4C-HSDPAシステムでは、第1のフィードバックシンボルは、第1および第2のダウンリンクキャリア向けのHARQフィードバックを含んでもよく、第2のフィードバックシンボルは、第3および第4のダウンリンクキャリア向けのHARQフィードバックを含んでもよい。3C-HSDPAシステムでは、第2のシンボルは、第3のダウンリンクキャリア向けのHARQフィードバックのみを含んでもよい。
【００６２】
図8は、UE850と通信しているNode B 810のブロック図であり、Node B 810は、図2のNode B 208であってよく、UE850は、図2のUE210であってよい。ダウンリンク通信では、送信プロセッサ820は、データソース812からデータを受信することができ、コントローラ/プロセッサ840からの信号を制御することができる。送信プロセッサ820は、データ信号および制御信号、ならびに参照信号(例えばパイロット信号)に対する、様々な信号処理機能を提供する。例えば、送信プロセッサ820は、誤り検出のための巡回冗長検査(CRC)符号、前方誤り訂正(FEC)を容易にするための符号化とインターリーブ、様々な変調方式(例えば、二位相偏移変調(BPSK)、四位相偏移変調(QPSK)、多値位相偏移変調(M-PSK)、多値直角位相振幅変調(M-QAM)など)に基づく信号配列へのマッピング、直交可変拡散率(OVSF)による拡散、一連のシンボルを生成するためのスクランブル符号との乗算を実現することができる。チャネルプロセッサ844からのチャネル推定は、コントローラ/プロセッサ840により使用され、送信プロセッサ820のための符号化方式、変調方式、拡散方式、および/またはスクランブル方式を決定することができる。これらのチャネル推定は、UE850により送信された参照信号から、またはUE850からのフィードバックから導出することができる。送信プロセッサ820により生成されたシンボルは、送信フレームプロセッサ830に与えられ、フレーム構造を作成する。送信フレームプロセッサ830は、コントローラ/プロセッサ840からの情報をシンボルと多重化することによってこのフレーム構造を作成し、一連のフレームを得る。次いで、フレームは送信機832に与えられ、送信機832は、フレームの増幅、フィルタリング、および変調を含む様々な信号調整機能を、アンテナ834を通じたワイヤレス媒体を介するダウンリンク送信のためのキャリアに、提供する。アンテナ834は、例えば、ビーム指向性双方向適応アンテナアレイまたは他の同様のビーム技術を含む、1つまたは複数のアンテナを含みうる。
【００６３】
UE850において、受信機854は、アンテナ852を通じてダウンリンク送信を受信し、伝送を処理してキャリア上に変調された情報を回復する。受信機854により回復される情報は、受信フレームプロセッサ860に与えられ、受信フレームプロセッサ860は各フレームを解析し、フレームからチャネルプロセッサ894への情報、データ信号、制御信号、および参照信号を、受信プロセッサ870に提供する。次いで、受信プロセッサ870は、Node B 810において送信プロセッサ820により実行される処理の逆を実行する。より具体的には、受信プロセッサ870は、シンボルを逆スクランブルおよび逆拡散し、次いで、変調方式に基づいて、Node B 810により送信された最も可能性のある信号配列点を決定する。これらの軟判定は、チャネルプロセッサ894により計算されるチャネル推定に基づきうる。軟判定は次いで、復号およびデインターリーブされて、データ信号、制御信号、および参照信号を回復する。次いでCRC符号が確認され、フレームの復号が成功したかどうかを判定する。次いで復号に成功したフレームにより搬送されるデータが、データシンク872に提供され、データシンク872は、UE850および/または様々なユーザーインターフェース(例えばディスプレイ)中で実行されるアプリケーションを表す。復号に成功したフレームにより搬送される制御信号は、コントローラ/プロセッサ890に提供される。フレームの受信機プロセッサ870による復号が成功しなかった場合、コントローラ/プロセッサ890は、確認通知(ACK)プロトコルおよび/または否定通知(NACK)プロトコルも用いて、これらのフレームの再送信要求をサポートすることができる。
【００６４】
アップリンクでは、データソース878からのデータおよびコントローラ/プロセッサ890からの制御信号が、送信プロセッサ880に提供される。このデータソース878は、UE850および様々なユーザーインターフェース(例えばキーボード)において実行されるアプリケーションを表すことができる。Node B 810によるダウンリンク送信とともに説明された機能と同様に、送信プロセッサ880は、CRC符号、FECを容易にするための符号化およびインターリーブ、信号配列へのマッピング、OVSFによる拡散、一連のシンボルを生成するためのスクランブルを含む、様々な信号処理機能を提供する。Node B 810により送信される参照信号から、または、Node B 810により送信されるミッドアンブルに含まれるフィードバックから、チャネルプロセッサ894により導出されるチャネル推定を用いて、適切な符号化方式、変調方式、拡散方式、および/またはスクランブル方式を選択することができる。送信プロセッサ880により生成されるシンボルは、送信フレームプロセッサ882に提供され、フレーム構造を作成する。送信フレームプロセッサ882は、コントローラ/プロセッサ890からの情報をシンボルと多重化することによって、このフレーム構造を作成し、一連のフレームを得る。次いで、フレームは送信機856に提供され、送信機856は、フレームの増幅、フィルタリング、および変調を含む様々な信号調整機能を、アンテナ852を通じたワイヤレス媒体を介するアップリンク送信のためのキャリアに提供する。
【００６５】
アップリンク送信は、UE850において受信機機能とともに説明された方式と同様に、Node B 810において処理される。受信機835は、アンテナ834を通じてアップリンク送信を受信し、送信を処理してキャリア上に変調された情報を回復する。受信機835により回復される情報は、受信フレームプロセッサ836に与えられ、受信フレームプロセッサ836は、各フレームを解析し、フレームからチャネルプロセッサ844への情報、データ信号、制御信号、および参照信号を、受信プロセッサ838に提供する。受信プロセッサ838は、UE850の送信プロセッサ880により実行される処理の逆を実行する。復号に成功したフレームにより搬送されるデータ信号および制御信号が、次いで、データシンク839およびコントローラ/プロセッサにそれぞれ提供されうる。フレームの一部が受信プロセッサによる復号に成功しなかった場合、コントローラ/プロセッサ840は、確認通知(ACK)プロトコルおよび/または否定通知(NACK)プロトコルも用いて、これらのフレームの再送信要求をサポートすることができる。
【００６６】
コントローラ/プロセッサ840および890は、Node B 810およびUE850における動作を指示するために、それぞれ用いられうる。例えば、コントローラ/プロセッサ840および890は、タイミング、周辺インターフェース、電圧制御、電力管理、および他の制御機能を含む、様々な機能を提供することができる。メモリ842および892のコンピュータ可読媒体は、Node B 810およびUE850のためのデータおよびソフトウェアを、それぞれ格納することができる。Node B 810のスケジューラ/プロセッサ846を用いて、リソースをUEに割り当て、UEのためのダウンリンク送信および/またはアップリンク送信をスケジューリングすることができる。
【００６７】
ある構成では、ワイヤレス通信のための装置850は、複数のダウンリンクキャリア上でダウンリンクシグナリングを受信するための手段と、第1および第2のHARQフィードバックシンボルをアップリンクで送信するための手段とを含む。ある態様では、前述の手段はそれぞれ、受信機854、受信フレームプロセッサ860、および受信プロセッサ870、ならびに送信機856、送信フレームプロセッサ882、おび送信プロセッサ880であってよい。さらに、この構成による装置850は、複数のキャリアの各々に対応するハイブリッド自動再送要求(HARQ)フィードバックを決定するための手段と、複数のキャリアのうちの少なくとも2つを含む複数のキャリアの第1のサブセットに対応するHARQフィードバックを符号化するための、第1のHARQフィードバックシンボルを選択するための手段と、複数のキャリアのうちの少なくとも1つを含む複数のキャリアの第2のサブセットに対応するHARQフィードバックを符号化するための、第2のHARQフィードバックシンボルを選択するための手段とを含む。ある態様では、前述の手段は、チャネルプロセッサ894および/またはコントローラ/プロセッサ890であってよい。別の態様では、前述の手段は、前述の手段により挙げられた機能を実行するように構成されたモジュールまたは任意の装置であってよい。
【００６８】
別の構成では、ワイヤレス通信のための装置850は、複数のダウンリンクキャリアで受信される情報の復号の状況に対応する第1のフィードバックシンボルを提供するための手段と、少なくとも1つのダウンリンクキャリアで受信される情報の復号の状況に対応する第2のフィードバックシンボルを提供するための手段とを含む。ある態様では、前述の手段は、コントローラ/プロセッサ890、チャネルプロセッサ894、送信プロセッサ880、送信フレームプロセッサ882、および/または送信機856であってよい。別の態様では、前述の手段は、前述の手段で挙げられた機能を実行するように構成されるモジュールまたは任意の装置であってよい。
【００６９】
遠隔通信システムのいくつかの態様が、W-CDMAシステムに関して提示されてきた。当業者が容易に理解するように、本開示全体で説明された様々な態様は、他の遠隔通信システム、ネットワークアーキテクチャ、および通信規格に拡張されうる。つまり、本開示の様々な態様によるアクセスネットワークにより利用される変調方式およびマルチアクセス方式は、展開される具体的な遠隔通信規格に応じて変化しうる。例えば、規格は、Evolution-Data Optimized(EV-DO)またはウルトラモバイルブロードバンド(UMB)を含みうる。EV-DOおよびUMBは、CDMA2000規格群の一部として、第3世代パートナーシッププロジェクト2(3GPP2)により発表された無線インターフェース規格であり、移動局にブロードバンドインターネットアクセスを提供するのにCDMAを利用する。代替的には、規格は、TD-SCDMAのような、広帯域CDMA(W-CDMA)および他のCDMAの変形形態を利用するユニバーサル地上無線アクセス(UTRA)、TDMAを利用するGlobal System for Mobile Communications(GSM（登録商標）)、Evolved UTRA(E-UTRA)、ウルトラモバイルブロードバンド(UMB)、IEEE 802.11(Wi-Fi)、IEEE 802.16(WiMAX)、IEEE 802.20、およびOFDMAを利用するFlash-OFDMであってもよい。UTRA、E-UTRA、UMTS、LTE、LTE Advanced、およびGSM（登録商標）は、3GPP組織からの文書で説明されている。CDMA2000およびUMBは、3GPP2組織からの文書で説明されている。実際のワイヤレス通信規格および利用される複数のアクセス技術は、具体的な用途およびシステムに課された全体の設計制約により決まる。
【００７０】
本開示の様々な態様によれば、要素、要素の任意の部分、または要素の任意の組み合わせは、1つまたは複数のプロセッサを含む「処理システム」により実装されうる。プロセッサの例は、マイクロプロセッサ、マイクロコントローラ、デジタルシグナルプロセッサ(DSP)、フィールドプログラマブルゲートアレイ(FPGA)、プログラマブルロジックデバイス(PLD)、ステートマシン、ゲート論理回路、個別のハードウェア回路、および、本開示全体で説明される様々な機能を実行するように構成される他の適切なハードウェアを含む。処理システムの1つまたは複数のプロセッサは、ソフトウェアを実行することができる。ソフトウェアは、ソフトウェア、ファームウェア、ミドルウェア、マイクロコード、ハードウェア記述言語、または他の用語などどのように呼ばれても、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行のスレッド、プロシージャ、関数などを意味するものと広く解釈されるべきである。ソフトウェアは、コンピュータ可読媒体に存在しうる。コンピュータ可読媒体は、非一時的なコンピュータ可読媒体であってよい。非一時的なコンピュータ可読媒体は、例として、磁気記憶デバイス(例えばハードディスク、フレキシブルディスク、磁気ストリップ)、光ディスク(例えばコンパクトディスク(CD)、デジタル多目的ディスク(DVD))、スマートカード、フラッシュメモリデバイス(例えばカード、スティック、キードライブ)、ランダムアクセスメモリ(RAM)、読み取り専用メモリ(ROM)、プログラム可能なROM(PROM)、消去可能なPROM(EPROM)、電気的に消去可能なPROM(EEPROM)、レジスタ、取り外し可能ディスク、ならびに、コンピュータによりアクセスし読み取ることができるソフトウェアおよび/または命令を格納するための任意の他の適切な媒体を含む。コンピュータ可読媒体は、例として、搬送波、伝送線、ならびに、コンピュータによりアクセスし読み取ることができるソフトウェアおよび/または命令を送信するための任意の他の適切な媒体も含みうる。コンピュータ可読媒体は、処理
システム内に存在していてもよく、処理システムの外部にあってもよく、処理システムを含む複数のエンティティに分散していてもよい。コンピュータ可読媒体は、コンピュータプログラム製品内で具現化されうる。例として、コンピュータプログラム製品は、包装材料中にコンピュータ可読媒体を含みうる。具体的な用途とシステム全体に課された全体の設計制約に応じて、当業者は、本開示全体で提示された説明された機能をどのように最適に実装すべきかを認識するだろう。
【００７１】
開示された方法のステップの具体的な順序または階層は、例示的な処理を説明するものであると理解されたい。設計上の選好に基づいて、方法のステップの具体的な順序または階層を再配置できることが理解される。添付の方法の請求項は、例示的な順序で様々なステップの要素を提示し、特に請求項において記載されない限り、提示された具体的な順序または階層に限定されることは意図されない。
【００７２】
上記の説明は、当業者が、本明細書で説明された様々な態様を実行できるようにするために提供される。これらの態様への様々な修正が当業者には容易に明らかであり、本明細書で定義される包括的な原理は、他の態様に適用されうる。したがって、特許請求の範囲は、本明細書で示された態様に限定されることは意図されず、請求項の表現と矛盾しない完全な範囲を認められるべきである。単数形でのある要素への言及は、特にそのように述べられていない限り、「1つのかつ唯一の」を意味することは意図されず、「1つまたは複数の」を意味することが意図される。別段特に述べられない限り、用語「いくつかの」は1つまたは複数を指す。項目の列挙の「少なくとも1つ」に言及する語句は、単一の項目を含む、項目の任意の組み合わせを指す。例として、「a、b、またはcのうちの少なくとも1つ」は、a、b、c、aおよびb、aおよびc、bおよびc、ならびに、aおよびbおよびcを含むことが意図される。当業者により知られている、または今後知られるようになる、本開示全体で説明された様々な態様の要素の構造上かつ機能上の等価物の全てが、参照によって本明細書に明示的に組み込まれ、特許請求の範囲に包含されることが意図される。さらに、本明細書で開示されたことは、そのような開示が特許請求の範囲に明示的に記載されているかどうかに関わらず、公に捧げられることは意図されない。請求項の要素は、語句「のための手段」を用いて明示的に記載されていない限り、または方法の請求項の場合には、語句「のためのステップ」を用いて記載されていない限り、米国特許法第112条の第6パラグラフの規定により解釈されるべきではない。
【符号の説明】
【００７３】
100  装置
102  バス
104  プロセッサ
106  コンピュータ可読媒体
108  バスインターフェース
110  送受信機
112  ユーザーインターフェース
114  処理システム
200  UMTSシステム
204  基幹ネットワーク
208  Node B
210  ユーザー装置
216  PSTN/ISDN
222  インターネット
302  ハイブリッドARQ確認通知
304  チャネル品質表示
306  プリコーディング制御表示
308  スロット
402  符号器
602  UE
604  Node B
606  ダウンリンクシグナリング
608  HARQフィードバック
610  プロセッサ
620  送信機
630  受信機
640  メモリ
810  Node B
820  送信プロセッサ
830  送信フレームプロセッサ
832  送信機
834  アンテナ
840  コントローラ/プロセッサ
844  チャネルプロセッサ
854  受信機
860  受信フレームプロセッサ
870  受信プロセッサ
【図１】
0005568640.tif 000003
【図２】
0005568640.tif 000004
【図３】
0005568640.tif 000005
【図４】
0005568640.tif 000006
【図５】
0005568640.tif 000007
【図６Ａ】
0005568640.tif 000008
【図６Ｂ】
0005568640.tif 000009
【図７】
0005568640.tif 000010
【図８】
0005568640.tif 000011